(57)【要約】電気泳動ディスプレイのための画像更新スキームは駆動遅延を短くし、駆動が中断されるときに、低下した品質の画像の表示を可能にする。画像データの第１部分（６０５）は携帯型ネットワーク装置（４００）のようなディスプレイ装置（５００）に送信される。第１部分は、各々の画素についてのデータワードのＭＳＢを有することが可能である。画像データの第２部分（６０６，６０７）は、続いて、ディスプレイ装置において受信され、各々の画素は、第１及び第２部分により規定される関連する第２光学状態（６３６）に駆動される。他の方法においては、第２部分は、画像の実質的に完全な表現を有し、各々の画素は、第２部分により規定される関連する第２光学状態（６３６）に駆動される。
2008542810.tif 000002
【特許請求の範囲】
【請求項１】
受信された画像データに基づいて双安定ディスプレイ装置において画像を表示するための方法であって：
前記ディスプレイ装置において前記画像データの第１部分を受信する段階；
前記第１部分により規定された関連する第１光学状態に前記ディスプレイ装置の複数の画素の各々を駆動する段階；
前記ディスプレイ装置において前記画像データの第２部分を受信する段階；並びに
前記第１及び第２段階により規定された関連する第２光学状態に前記複数の画素の各々を駆動する段階；
を有する方法。
【請求項２】
請求項１に記載の方法であって：
前記複数の画素の各々について、前記第１部分は前記画像データの多ビットワードの最上位ビットを有する；
方法。
【請求項３】
請求項２に記載の方法であって：
前記複数の画素の各々について、関連する前記第１光学状態は、関連する前記最上位ビットの値に基づいて光学スケールにおける最高の光学状態又は最低の光学状態である；
方法。
【請求項４】
請求項２に記載の方法であって：
前記複数の画素の各々について、前記第２部分は前記画像データの前記多ビットワードの少なくとも１つの下位ビットを有する；
方法。
【請求項５】
請求項１に記載の方法であって：
前記ディスプレイ装置において前記画像データの少なくとも１つの残りの部分を受信する段階；並びに
関連する前記第１部分、第２部分及び残りの部分により規定される関連する最終の光学状態に前記複数の画素の各々を駆動する段階；
を更に有する方法。
【請求項６】
請求項１に記載の方法であって：
前記複数の画素の各々は、関連する前記第１光学状態から関連する前記第２光学状態に駆動される；
方法。
【請求項７】
請求項１に記載の方法であって：
前記第１及び第２部分は、低電力の無線リンクを介して前記ディスプレイ装置において受信される；
方法。
【請求項８】
請求項１に記載の方法であって：
前記第１及び第２光学状態は階調及び色レベルの少なくとも一を有する；
方法。
【請求項９】
請求項１に記載の方法であって：
前記第１部分は画像のディザリング表現を有する；
方法。
【請求項１０】
双安定ディスプレイ装置であって：
前記ディスプレイ装置において画像データの第１部分を受信するための手段；
前記第１部分により規定された関連する第１光学状態に前記ディスプレイ装置の複数の画素の各々を駆動するための手段；
前記ディスプレイ装置において前記画像データの第２部分を受信するための手段；並びに
前記第１及び第２段階により規定された関連する第２光学状態に前記複数の画素の各々を駆動するための手段；
を有する双安定ディスプレイ装置。
【請求項１１】
双安定ディスプレイ装置に画像データを送信するための方法であって：
前記ディスプレイ装置に前記画像データの第１部分を送信する段階であって、前記第１部分は、前記ディスプレイ装置の複数の画素の各々が駆動されるようになっている関連する第１光学状態を規定する、段階；
前記ディスプレイ装置に前記画像データの第２部分を送信する段階であって、前記第１及び第２部分は、前記複数の画素の各々が駆動されるようになっている関連する第２光学状態を規定する、段階；
を有する方法。
【請求項１２】
請求項１１に記載の方法であって：
前記複数の画素の各々について、前記第１部分は前記画像データの多ビットワードの最上位ビットを有する；
方法。
【請求項１３】
請求項１２に記載の方法であって：
前記複数の画素の各々について、前記第１光学状態は、関連する前記最上位ビットの値に基づいて光学スケールにおける最高の光学状態又は最低の光学状態である；
方法。
【請求項１４】
請求項１２に記載の方法であって：
前記複数の画素の各々について、前記第２部分は前記画像データの前記多ビットワードの少なくとも１つの下位ビットを有する；
方法。
【請求項１５】
請求項１１に記載の方法であって：
前記ディスプレイ装置において前記画像データの少なくとも１つの残りの部分を送信する段階であって、前記第１部分、前記第２部分及び前記少なくとも１つの残りの部分は、前記複数の画素の各々が駆動するようになっている関連する最終の光学状態を規定する、段階；
を更に有する方法。
【請求項１６】
請求項１１に記載の方法であって：
前記第１及び第２部分は、低電力の無線リンクを介して前記ディスプレイ装置において受信される；
方法。
【請求項１７】
双安定ディスプレイ装置に画像データを送信するための装置であって：
前記ディスプレイ装置に前記画像データの第１部分を送信するための手段であって、前記第１部分は、前記ディスプレイ装置の複数の画素の各々が駆動されるようになっている関連する第１光学状態を規定する、手段；
前記ディスプレイ装置に前記画像データの第２部分を送信するための手段であって、前記第１及び第２部分は、前記複数の画素の各々が駆動されるようになっている関連する第２光学状態を規定する、手段；
を有する装置。
【請求項１８】
受信された画像データに基づいて双安定ディスプレイ装置において画像を表示するための方法であって：
前記ディスプレイ装置において前記画像データの第１部分を受信する段階；
前記第１部分により規定された関連する第１光学状態に前記ディスプレイ装置の複数の画素の各々を駆動する段階；
前記ディスプレイ装置において前記画像データの第２部分を受信する段階；並びに
前記第２段階により規定された関連する第２光学状態に前記複数の画素の各々を駆動する段階；
を有する方法。
【請求項１９】
請求項１８に記載の方法であって：
前記第１部分は画像のディザリング表現を有し；そして
前記第２部分は前記画像の実質的に完全な表現を有する；
方法。
【請求項２０】
請求項１８に記載の方法であって：
前記第１部分は画像の部分表現を有し；そして
前記第２部分は前記画像の実質的に完全な表現を有する；
方法。
【請求項２１】
双安定ディスプレイ装置に画像データを送信するための方法であって：
前記ディスプレイ装置に前記画像データの第１部分を送信する段階であって、前記第１部分は、前記ディスプレイ装置の複数の画素の各々が駆動されるようになっている関連する第１光学状態を規定する、段階；
前記ディスプレイ装置に前記画像データの第２部分を送信する段階であって、前記第２部分は、前記複数の画素の各々が駆動されるようになっている関連する第２光学状態を規定する、段階；
を有する方法。
【請求項２２】
請求項２１に記載の方法であって：
前記第１部分は画像のディザリング表現を有し；そして
前記第２部分は前記画像の実質的に完全な表現を有する；
方法。
【請求項２３】
請求項２１に記載の方法であって：
前記第１部分は画像の部分表現を有し；そして
前記第２部分は前記画像の実質的に完全な表現を有する；
方法。
【発明の詳細な説明】
【技術分野】
【０００１】
本発明は、一般に、電気泳動ディスプレイについての画像更新スキームに関し、特に、駆動が中断されるときに、低下した品質の画像が表示されることが可能である間に、ディスプレイの駆動において遅延を少なくするスキームに関する。
【背景技術】
【０００２】
最近の技術の進歩は、多くの機会をもたらす電子ブックのような“ユーザフレンドリな”電子読み出し装置を提供してきている。例えば、電気泳動ディスプレイのような双安定ディスプレイはかなり期待できるものである。そのようなディスプレイは、固有のメモリ挙動を有し、電力消費を伴わずに比較的長い時間の間、画像を維持することができる。新しい情報によりリフレッシュ又は更新される必要があるときにのみ、電力は消費される。
【０００３】
更に、Ｐｈｉｌｉｐｓ  Ｐｏｌｙｍｅｒ  Ｖｉｓｉｏｎ社（オランダ国アイントホーフェン市）は転動可能なディスプレイを開発している。このディスプレイは、使用されていないときには、スティックに巻き上げられて保存され、ユーザに大きいディスプレイを提供するように広げられる。携帯型装置の分野で特に適する転動可能ディスプレイ装置は、５インチの対角線寸法及び４階調を有する超薄型（１００μｍ）で軽量のＱｕａｒｔｅｒ  Ｖｉｄｅｏ  Ｇｒａｐｈｉｃｓ  Ａｒｒａｙ（ＱＶＧＡ）（３２０ｘ２４０画素）アクティブマトリクスディスプレイを有する。ディスプレイを除いて、スティックはまた、例えば、表示されるようになっているテキスト及びグラフィックス等の情報と、例えば、アプリケーションを制御するためのボタン等のユーザインタラクション機能を与えるための情報とを得るように、携帯電話のような他の装置に無線接続するためのエレクトロニクスを有する。Ｐｏｌｙｍｅｒ  Ｖｉｓｉｏｎ社により用いられるディスプレイの効果は電気泳動にある。電気泳動ディスプレイは、Ｅ  Ｉｎｋ社（米国マサチューセッツ州ケンブリッジ市）製のＥ−ｉｎｋディスプレイを有する。
【０００４】
しかしながら、そのような装置のディスプレイ更新性能は、異なる因子により制限されている。例えば、電気泳動ディスプレイは、一般に、例えば、約０．５秒の遅い更新速度により特徴付けられる。更に、ブルートゥース（Ｂｌｕｅｔｏｏｔｈ）のような低パワー無線リンクはまた、送信されるデータ量を考慮して、比較的遅い。ブルートゥースは、代表的には、６００乃至７００Ｋｂｉｔ／ｓｅｃの有効データレートで２．４ＧＨｚにおいて動作する近距離の高周波（ＲＦ）技術であり、約１０ｍの有効距離に亘って音声及びデータを送信することができる。例えば、１６階調のＱＶＧＡ画像が４＊３２０＊２４０＝３０７，２００ｂｉｔを有することを考慮すると、送信時間速く０．５秒であり、それは表示更新時間に匹敵する。更に、従来の駆動スキームにおいては、データは、レンダリングが開始する前に、完全に送信されなければならない。故に、全更新時間は、許容できない程長くなる可能性がある、表示更新時間及びデータ送信時間の和である。また、データ転送が全く完了して、駆動が開始するまで、更新処理をすぐに中断し、表示を略現在の状態のままにすることは可能ではない。
【発明の開示】
【課題を解決するための手段】
【０００５】
本発明においては、駆動が中断されたときに、低品質の画像が表示されるようする間に、電気泳動ディスプレイの更新時間を実質的に短縮する更新スキームを与えることにより、上記の及び他の問題点に対処することができる。駆動は、画像が十分に高い品質にレンダリングされる前に中断されることが可能であり、そのことは、例えば、スクローリングについて、有利である。本発明は、転動可能なディスプレイのような電気泳動ディスプレイ及び他の双安定ディスプレイ装置を有する携帯型装置と共に用いるために特に適する。
【０００６】
本発明の特定の特徴においては、受信される画像データに基づいて双安定ディスプレイ装置において画像を表示するための方法は、ディスプレイ装置において画像データの第１部分を受信する段階と、第１部分により規定される関連第１光学状態にディスプレイ装置の複数の画素の各々を駆動する段階と、ディスプレイ装置において画像データの第２部分を受信する段階と、第１及び第２部分により規定される関連第２光学状態に画素の各々を駆動する段階とを有する。
【０００７】
関連する特徴においては、双安定ディスプレイ装置に画像データを送信するための方法は、ディスプレイ装置に画像データの第１部分を送信する段階であって、その第１部分は、ディスプレイ装置の複数の画素の各々が駆動されるようになっている関連第１光学状態を規定する、段階と、ディスプレイ装置に画像データの第２部分を送信する段階であって、第１部分及び第２部分は、画素の各々が駆動されるようになっている関連第２光学状態を規定する、段階とを有する。
【０００８】
他の特徴においては、受信された画像データに基づいて双安定ディスプレイ装置において画像を表示するための方法は、ディスプレイ装置において画像データの第１部分を受信する段階と、第１部分により規定される関連第１光学状態にディスプレイ装置の複数の画素の各々を駆動する段階と、ディスプレイ装置において画像データの第２部分を受信する段階と、第２部分により規定される関連第２光学状態に画素の各々を駆動する段階とを有する。
【０００９】
関連する特徴においては、双安定ディスプレイ装置に画像データを送信するための方法は、ディスプレイ装置に画像データの第１部分を送信する段階であって、その第１部分は、ディスプレイ装置の複数の画素の各々が駆動されるようになっている関連第１光学状態を規定する、段階と、ディスプレイ装置に画像データの第２部分を送信する段階であって、第２部分は、画素の各々が駆動されるようになっている関連第２光学状態を規定する、段階とを有する。
【００１０】
対応する電気泳動ディスプレイ装置及びプログラム記憶装置がまた、与えられる。
【００１１】
全ての図においては、対応する部分は同じ参照番号で表される。
【発明を実施するための最良の形態】
【００１２】
図１及び２は、第１基板８と、対向する第２基板９と、複数のピクチャ要素又は画素２と、を有する双安定ディスプレイ装置のディスプレイパネル１の一部を示している。ピクチャ要素２は、二次元構造において実質的に直線に沿って配列されることが可能である。ピクチャ要素２は、明確化のために互いから距離を置いて示されているが、実際には、ピクチャ要素２は、連続画像を生成するように互いに非常に近接している。更には、フルディスプレイの一部のみが示されている。ピクチャ要素の他の配列、例えば、ハニカム配列画が可能である。帯電粒子を有する電気泳動媒体５は、基板８及び９間に存在する。第１電極３及び第２電極４は各々のピクチャ要素２に関連付けられる。電極３及び４は、電位差を受け入れることができる。図２においては、各々のピクチャ要素２について、第１基板は第１電極を有し、第２基板９は第２電極４を有する。帯電粒子６は、電極３及び４か又はそれらの電極に対する中間のどちらかの近傍の位置を占めることができる。各々のピクチャ要素２は、電極３及び４間の帯電粒子６の位置により決定される外観を有する。電気泳動媒体５自体については、米国特許第５，９６１，８０４号明細書、米国特許第６，１２０，８３９号明細書及び米国特許第６，１３０，７７４号明細書に記載されている。
【００１３】
例示として、電気泳動媒体５は、白色流体中に負に帯電された黒色粒子６を有することが可能である。それらの帯電粒子６が、例えば、＋１５Ｖの電位差のために第１電極３の近傍にあるとき、ピクチャ要素２の外観は白色である。それらの帯電粒子６が、例えば、−１５Ｖの電位差のために第２電極４の近傍にあるとき、ピクチャ要素２の外観は黒色である。帯電粒子６が電極３及び４間にあるとき、ピクチャ要素は、黒色と白色との間の階調のような中間の外観を有する。駆動制御部は、フルディスプレイスクリーンにおいて、所望のピクチャ、例えば、画像及び／又はテキストを生成するように各々のピクチャ要素２の電位差を制御する。フルディスプレイスクリーンは、ディスプレイにおける画素に対応する複数のピクチャ要素から成る。
【００１４】
図３は、本発明にしたがった転動可能双安定ディスプレイ装置に画像データを送信するネットワーク装置を示している。冒頭で述べているように、双安定ディスプレイ装置が、転動可能ディスプレイにおける有効な一実施形態において備えられることが可能である。図３の実施例においては、ネットワーク装置４００は、転動可能ディスプレイ装置５００と通信する携帯電話であり、その転動可能ディスプレイ装置は、チューブ５１２と、使用していないときに巻き上げ状態でチューブ内に収容され、使用しているときにユーザによりチューブから引き出されることが可能である転動可能スクリーン５２２と、を有する。ネットワーク装置４００は、例えば、有効な一方法において、ブルートゥース規格を用いて、低電力の無線リンクを介してディスプレイ装置５００と通信することが可能である。この方法により、ネットワーク装置４００は、例えば、携帯電話ネットワーク又はインターネット等のネットワークからテキストの画像を有する何れかの種類の画像データを受信し、表示のためにディスプレイ装置５００にデータを通信することができる。その画像データは、電子メール、電子ブック、ニュース、スポーツ等を含むコンテンツの何れかの種類を備えることが可能である。本発明にしたがって、ネットワーク装置４００は、ディスプレイ装置５００が画像を迅速にレンダリングすることを可能にするように、あるフォーマットで画像データを供給する一方、また、例えば、スクローリングを実行するように、ユーザがユーザインターフェースボタン５３５を操作するとき等に、レンダリングが中断されることを可能にする。ディスプレイ装置はまた、レンダリングすべき画像データを記憶するためにローカル記憶資源を有することが可能である。
【００１５】
図４は、本発明にしたがった、図３に関連付けて説明する携帯電話のようなネットワーク装置４００を示している。ネットワーク装置４００は、ネットワークインターフェース４２０を介して、ディスプレイ装置５００により用いられる画像データを受信するように携帯電話ネットワーク又はインターネットのようなネットワーク４１０により通信することが可能である。制御部４３０は、送受信器４５０を介してディスプレイ装置５００に画像データを送信する前に、その画像データを処理するために関連圧縮機能４３２及びフィルタリング機能４３４を有する。制御部４３０によりまた、用いられる関連作業メモリ４４０を備えることが可能である。
【００１６】
画像データは複数のビットワードを有することが可能であり、各々のワードは、ディスプレイ装置における対応する画素が駆動されるようになっている光学状態を規定する。有効な一通信スキームにおいては、画像データの第１部分は、ディスプレイ装置５００に最初に通信される。ディスプレイ装置は、それ故、各々の画素を駆動することにより、第１部分の受信に対して応答する。画像データの第２部分は、その場合、ディスプレイ装置に送信されることが可能である。ディスプレイ装置は、第１及び第２部分から得られる情報に基づいて、各々の画素を更に駆動することにより第２部分の受信に対して応答する。その処理は、最終画像が表示されるまで、ディスプレイ装置は、明確に区分されたフェーズ又は段階において駆動指令を改善し続けることが可能である。
【００１７】
他の有効な方法においては、フィルタリング機能４３４が、例えば、後続の段階において改善されるオリジナルの階調画像に近いディザリングされた白黒画像を供給するように用いられる。このことは、適切な階調を表示することが解像度より重要である画像について有利である。他の有効な方法においては、圧縮機能４３２が、ディスプレイ装置５００への送信に先だって画像データを圧縮するように用いられる。圧縮機能４３２は、ディスプレイ装置の更新速度を更に改善するように圧縮アルゴリズムを用いることが可能である。
【００１８】
図５は、本発明にしたがって、図３のディスプレイ装置５００のようなディスプレイ装置を示している。ディスプレイ装置５００は、伸長機能５３２及びアドレッシング回路５３４を有する制御部５３０を有することが可能である。制御部５３０は、所望の画像が表示されるようにするように表示スクリーン５１０を制御する。例えば、制御部５３０は、表示スクリーン５１０において異なる画素に対して電圧波形を供給することにより表示スクリーン５１０を駆動することが可能である。アドレッシング回路５３４は、所望の画像が表示されるようにするように、例えば、行及び列のような特定の画素をアドレス指定するための情報を与える。画像データは、送受信器５４０を介してネットワーク装置４００から受信され、メモリ５２０に記憶されることが可能であり、その一実施例は、Ｐｈｉｌｉｐｓ  Ｅｌｅｃｔｒｏｎｉｃｓ社製のｓｍａｌｌ  ｆｏｒｍ  ｆａｃｔｏｒ  ｏｐｔｉｃａｌ（ＳＦＦＯ）ｄｉｓｋ  ｓｙｓｔｅｍである。制御部５３０は更に、例えば、上下左右にスクロールし、上下にページングする等のために、ユーザインターフェース５５０を介して与えられるユーザ指令に応答することが可能である。送受信器４５０及び５４０は、低電力の無線リンクを介して、互いに通信することが可能である。ディスプレイ装置は、画像データが受信されたことを示すネットワーク装置４００に対して上流に確認メッセージを送信することが可能である。
【００１９】
制御部４３０及び５３０は、ここで説明する機能性を達成するように、例えば、ソフトウェア、ファームウェア、マイクロコード等のコンピュータコードの何れかの種類を実行することができる処理器を有することが可能である。したがって、メモリ４４０及び５２０等のそのようなコンピュータコード装置を確実に実施するコンピュータプログラム又はプログラム記憶装置は、当業者にとって明らかな方式で与えられることが可能である。
【００２０】
図６は、本発明にしたがって、更新時間に対するディスプレイの光学状態を示している。上記のように、本発明は、電気泳動ディスプレイは低速の更新時間を有し、低電力無線リンクはまた、低速であり、そして、従来の駆動スキームにおいては、レンダリングが開始する前に、画像データは完全に送信されなければならいことに対処する。全更新時間は、それ故、従来、データ送信時間と表示更新時間の和に基づいている。
【００２１】
本発明は、電気泳動ディスプレイの駆動を開始することができる駆動スキームを備えることにより上記課題に対処する一方、画像情報の一部のみが、画像の品質を徐々に高めることにより、例えば、階調又は色レベルを付加することにより、有意味に且つ視覚的に魅力ある方式で認識される。このことは、より高速の更新速度をもたらし、画像が高品質であるようにレンダリングされる前に、駆動が中断されることを可能にする。
【００２２】
図６においては、時間間隔６０５、６０６、６０７及び６０８は画像データの送信を表し、その画像データは４つのフェーズに分割され、各々のそれらのフェーズは、画像における全ての画素についてのそれぞれの一ビットを表している。時間間隔６１０は全送信時間を表す。ビットの送信は、全体の時間期間６０５、６０６、６０７又は６０８を必ずしも費やさないことに留意されたい。時間期間６２０、６２２及び６２４は、第１、第２及び第３画素駆動フェーズのそれぞれを表している。点６３０、６３２、６３４、６３６，６３８及び６４０は、関連画像データが二値１１００を有するときに例示としての画素が駆動される光学状態を表す経路又は起動に沿った点を表している。その図の右手側は、０と１５との間の階調を示している。ＯＳＩは最初の光学状態を示し、ＯＳＦは最後の光学状態を示す。本発明は、副画素の色成分の駆動を制御することによりカラー表示に対しても適用されることが可能であることに留意されたい。
【００２３】
例示として、ビット１１００を有する４ビットワードがネットワーク装置からディスプレイ装置に送信される。第１送信フェーズ６０５において、全ての画素に対して最上位ビットが送信される。このフェーズが終了するとすぐ、画素は、次のように、最初の駆動フェーズ６２０において、点６３０で表される最初の光学状態（ＯＳＩ）から駆動される。ＭＳＢが“１”である場合、駆動は、最も高い階調、この場合には、レベルレベル“１５”の方に向かって開始する。その駆動されている画素は、点６３２においてこのレベルに達する。ＭＳＢが０である場合、駆動は、最も低い階調、例えば、レベル“０”の方に向かって開始する。それらの境界レベルはレール状態であるとみなされる。この決定は、全ての画素について別個に行われることに留意されたい。全ての画素は、それ故、適切に規定された状態の方に駆動され、その後、各々の画素は、適切な最終階調の方に正確に且つ迅速に駆動される。ＭＳＢ駆動フェーズともいわれる第１駆動フェーズ６２０の終了時に、新しい画像に近い白黒画像がディスプレイ５１０において可視化される。それ故、点６３２で表されている光学状態は、画像データ、例えば、ＭＳＢの第１部分からの情報に基づいて規定される。
【００２４】
ＭＳＢ駆動フェーズ６２０中に、付加データが送信されることが可能である。本実施例においては、全ての画素について２つ又はそれ以上のビット、例えば、時間期間６０６における１ビット及び時間期間６０７における１ビットが、時間期間６０６及び６０７において送信されることが可能である。このデータは、続いて、点６３４で表されている光学状態から点６３６で表されている光学状態に画素を駆動することにより、改善フェーズ６２２において画像の品質を改善するように用いられる。この場合、全ての画素について４ビット中３ビットを送る時間が存在し、それ故、８（又は、２３）階調画像が生成されることが可能である。それ故、点６３６で表されている光学状態は、画像データ第１部分、例えば、ＭＳＢからの、そして、画像データの第２部分、例えば、第２及び第３下位ビットからの情報に基づいて規定される。
【００２５】
一旦、画素が、点６３６で表される光学状態になると、最終ビットが時間期間６０８において送信されるまで、駆動は、しばらくの間、停止する。一旦、この情報が受信されると、点６３８で表される光学状態から、１６階調画像が最終の光学状態において適切に表示される点６４０で表される光学状態への、最終レベルへの駆動が開始する。それ故、点６４０で表される光学状態は、画像データの第１部分、例えば、ＭＳＢ、画像データの第２部分、例えば、第２及び第３下位ビット、並びに画像データの第３の残りの部分、例えば、最下位ビット（ＬＳＢ）からの情報に基づいて規定される。
【００２６】
受信されたＭＳＢに基づいて、点６３２における状態に達するように画素について十分な時間が存在することに留意されたい。それ故、画素が、続いて、点６３６の方に駆動されるとき、その画素は、ＭＳＢで規定される状態から駆動される。しかしながら、第２及び第３ビットの送信は、画素が点６３２又は６３４における最初の光学状態を得る前に、少なくとも一部が、点６３６における第２光学状態の方に駆動されるように、十分に高速であることが可能である。それにも拘わらず、画素が最初の光学状態に十分に達するように時間を割り当てることは、ディスプレイの双安定性質が適切に規定された基準状態の方に最初には駆動されない画素について最終階調に適切に制御することは非常に難しいために、良好な画像品質を得るための信頼性の高い方法である。それに代えて、正確な制御は、最終の階調の方への画素の駆動を改善する状態から、適切に規定された最初の状態、例えば、２つの極限の一、黒色状態又は白色状態に、画素を駆動することにより得られる。更に、本発明は、１つ又はそれ以上の中間状態が信頼性高く得られることが可能である場合に、それらの状態の方に駆動することにより、理論的に機能する。
【００２７】
表１は、画素が、全ての有効な４ビット階調についての中間レベルを介して適切な最終の状態の方にどのように駆動されるかを示している。例示としての１１００の画像データ値については、駆動シーケンスは、最初には、レベル１５（ＭＳＢ駆動）にあり、次いで、レベル１５にあり（２ビットが達した後）、次いで、レベル１３にあり（３ビットが達した後）、最終的に、レベル１２にある（全ての４ビットが達した後）。この表は、したがって、各々の光学状態を規定するようにより少ない又はより多いビットが用いられるときに、変更されることが可能である。
【表１】
2008542810.tif 000003
【００２８】
最初にＭＳＢのみを送信することの代替として、画素が駆動される最初の基準状態を規定するために２ビット以上を送信することが可能である。今日の駆動スキームにおいては、このことは、通常、この最初の駆動フェーズについて必要な情報全てがＭＳＢに含まれているために、役に立たないが、一般に、できるだけ迅速に多くの情報を有することは有用であり、それ故、このことが有用である状態が存在することが可能である。しかしながら、２つ又はそれ以上のＭＳＢを送信することは１つのＭＳＢを送信することより長い時間を要し、それ故、付加ビットにおける付加情報が十分な量だけ駆動時間を減少させるように用いられることができない場合、送信時間及び駆動時間の和である全部の画像更新時間はより長くなる。例えば、ディスプレイが、４つの異なる階調に対して信頼性高く、直接、駆動されることができる場合、最初のフェーズにおいて２つ又はそれ以上のＭＳＢを送信することは有利である。また、この場合、２つの極限レベルの方への駆動は、最初のビットが達した後に開始することが可能である。その場合、第２ビットが達するとすぐ、その駆動は、必要に応じて、それらの４つのレベルの方に変化し、その場合にのみ、改善フェーズが開始する。このことは、一部の駆動の付加制御を必要とするが、実現可能である。例えば、まさに０及び１５の階調に代えて、階調０、５、１０及び１５の方に直接、駆動することが可能であることを前提とする。また、それらの４つの基準状態の方への駆動は、上記のスキームにおいて、０及び１５の方への高速駆動であることを前提とする。その場合、ここでの最悪の場合（例えば、階調７）は状態５から達することが可能であり、それは０から達することより速いために、全駆動時間は、上記のスキームにおける場合に比べて短くなる（この２番目のフェーズは、約（７−０）／（７−５）＝３．５倍速い）。
【００２９】
更なる代替においては、ディスクプレイ装置に送信される画像データは、上記の圧縮機能４３２を用いて、ネットワーク装置により圧縮されることが可能である。又は、画像データは、既に圧縮されたフォームでネットワーク装置により受信されることが可能である。圧縮は種々の方法で行われることが可能である。例えば、全てのＭＳＢのストリームは、ランレングス符号化のような標準的な二値圧縮アルゴリズムを用いて圧縮されることが可能である。四分木のような画像／映像圧縮による他の技術を用いることもまた、可能である。最下位ビット又は下位ビット（ＬＳＢ）の圧縮については、多くの技術をまた、適用することが可能である。また、通常の二値圧縮技術を用いることが可能である。また、欠落ＭＳＢは圧縮の度合いを低減した高周波成分を導入することが可能であるが、画像／映像圧縮技術が適用されることが可能である。他の方法においては、ＭＳＢシステムが画像の一部の圧縮された表現を与えるように送信された後に、実質的にフル画像、例えば、画像の全体の圧縮された表現が、下位ビット及びＬＳＢを有するデータストリームの代わりにディスプレイ装置に送信されることが可能であるように、標準的な画像圧縮技術が、フル画像において用いられることが可能である。ディスプレイ装置は、圧縮機能４３２の効果を逆にするように、伸長機能５３２を有することが可能である。
【００３０】
他の選択肢においては、フィルタリング機能４３４は、ディザリング画像を与えるように用いられることが可能である。又は、画像データは、既にフィルタリングされたフォームでネットワーク装置により受信されることが可能である。この選択肢は、視覚的により厄介でない画像遷移をもたらすことが可能である。この方法においては、白黒画像が最初の送信フェーズにおいて送信されるが、その画像は、ＬＳＢ全てを落とすことにより得られるオリジナルの画像のまさに１ビットバージョンではなく、階調の錯覚を与えるようにフィルタリング（又は、ディザリング）されたバージョンである。一旦、階調全てが取り除かれて、純粋な白黒ディザリングパターンにより置き換えられると、有効な一方法においては、ＭＳＢのみが残る。２番目の送信フェーズにおいて送信される第２部分は、その場合、完全な画像データを有することが可能である。
【００３１】
この選択肢においては、他の選択肢において説明しているように、ストラテジは、全画像更新時間を高速化するように、最も重要な情報を最初に送信するようになっているが、最も重要な情報と最も重要でない情報との間の区別は、厳密に画素毎には行われない。この場合についての重要なアプリケーションは写真を表示するアプリケーションであり、階調情報は、画像解像度に比べてより重要である。
【００３２】
本発明の好適な実施形態であると考えられるものについて図示して詳述しているが、勿論、本発明の主旨から逸脱することなく、形式的な又は詳細な種々の修正及び変形を容易に行うことが可能である。それ故、本発明は、まさに上記の及び図に示した形態に限定されるものではなく、同時提出の特許請求の範囲における範囲に包含されることが可能である全ての変形を網羅するように意図されるべきものである。
【図面の簡単な説明】
【００３３】
【図１】双安定ディスプレイ装置の表示スクリーンの一部の実施形態の正面図である。
【図２】図１の２−２に沿った断面図である。
【図３】本発明にしたがった転動可能な双安定ディスプレイ装置に画像データを送信するネットワーク装置を示す図である。
【図４】本発明にしたがったネットワーク装置を示す図である。
【図５】本発明にしたがったディスプレイ装置を示す図である。
【図６】本発明にしたがった、更新時間に対するディスプレイの光学状態を示す図である。
【図１】
2008542810.tif 000004
【図２】
2008542810.tif 000005
【図３】
2008542810.tif 000006
【図４】
2008542810.tif 000007
【図５】
2008542810.tif 000008
【図６】
2008542810.tif 000009
【国際調査報告】
2008542810.tif 000010
2008542810.tif 000011